(57)【特許請求の範囲】
【請求項１】
映像データを受信し可視情報に変換して送出する映像データ処理端末と暗号化された映像データを解読する暗号解読モジュールからなる映像データ再生装置であって、
前記映像データ処理端末は、
受信した映像データから電子番組案内のデータを抽出する電子番組案内抽出手段と、
電子番組案内を可視情報として描画する前に、前記暗号解読モジュールとの間で電子番組案内を送受信する電子番組案内通信手段と、
前記電子番組案内通信手段が受信した電子番組案内を描画する電子番組案内描画手段と、を備え、
前記暗号解読モジュールは、
使用者の特定を行う認証手段と、
使用者毎の視聴制限情報を記録する視聴制限情報記録手段と、
前記映像データ処理端末から電子番組案内を受信した場合に、前記認証手段が特定した使用者の視聴制限情報に応じて、受信した電子番組案内を視聴制限に該当する番組をマスクして閲覧できない形式に変更した電子番組案内に変更して、前記映像データ処理端末へ送信する電子番組案内変更手段と、を備えることを特徴とする映像データ再生装置。
【請求項２】
映像データを受信し可視情報に変換して送出する映像データ処理端末と暗号化された映像データを解読する暗号解読モジュールからなる映像データ再生装置における電子番組案内描画方法であって、
前記映像データ処理端末において、受信した映像データから電子番組案内のデータを抽出するステップと、
前記映像データ処理端末において、抽出した電子番組案内を前記暗号解読モジュールへ送信するステップと、
前記暗号解読モジュールにおいて、使用者の認証を行うステップと、
前記暗号解読モジュールにおいて、認証した使用者の視聴制限情報を参照するステップと、
前記暗号解読モジュールにおいて、参照した視聴制限情報に応じて、受信した電子番組案内を視聴制限に該当する番組をマスクして閲覧できない形式に変更した電子番組案内に変更して、前記映像データ処理端末へ送信するステップと、
前記映像データ処理端末において、前記暗号解読モジュールから受信した電子番組案内を描画するステップと、を有することを特徴とする電子番組案内描画方法。
【発明の詳細な説明】
【０００１】
【発明の属する技術分野】
本発明は、符号化された映像データを復号する映像データ処理端末と、暗号化された映像データを解読する暗号解読モジュールと、映像データ処理端末と暗号処理モジュールからなる映像再生装置とに関するものである。
【０００２】
【従来の技術】
近年、世界的にデジタル放送が始まり、これらのデジタル放送を受信する映像再生装置（通常はセットトップボックスと呼ばれている）の開発が進んでいる。
【０００３】
一般にデジタル放送は契約者だけが視聴できるように送信時に限定受信のためのスクランブルをかけて、受信時に映像再生装置側でそのスクランブルを解除するようになっている。しかしながら、そのスクランブル方式は放送事業者毎に異なっており、製造メーカーは、それぞれのスクランブル方式で暗号化された映像データを解読できる映像再生装置を複数機種開発しなければならない。このような状況下で、米国ではケーブルTV用の映像再生装置を事業者間で共通化する動きが具現化している。具体的には、米ケーブル テレビジョン ラボラトリーズ社（Cable Television Laboratories, Inc.) が決めるオープンケーブル（OpenCable）仕様である。セキュリティの観点から暗号解読の部分を共通化するのは難しいので、この部分をモジュール化し、映像再生装置に組み込むための標準インターフェースを検討中である。
【０００４】
図１７は従来の映像データ処理端末と暗号解読モジュールを示す図である。図において１００は映像データを可視情報へ変換する映像データ処理端末であり、２００は暗号化された映像データを解読する暗号解読モジュールである。また、１０１は映像データ受信手段、１０２は映像データ抽出手段、１０３は映像データ復号手段、１０４は映像データ合成手段、１０５は端末情報復元手段、１０６は端末状態記憶手段、１０７は受信情報抽出手段、１０８は番組選択手段、１０９はインターネットアクセス手段である。  また、２０１はスクランブル解除手段である。
【０００５】
なお、通常の映像データ処理端末では、これ以外にも例えば、圧縮された音声データを再生する音声データ再生部等の構成要素を必要とするが、本発明と直接関係しない部分なので、説明の簡単のために省略している。
【０００６】
次に、従来の映像データ処理端末と暗号解読モジュールの動作について説明する。
【０００７】
衛星、地上波、ケーブルのデジタル放送はムービング ピクチャー エキスパーツ グループ（MPEG）等の圧縮方式でMPEG映像データに変換された後、必要に応じてスクランブルをかけて送信される。また、この映像データのスクランブルの有無は、属性情報として映像データの中に含まれている。
【０００８】
なお、これらのMPEGの規格に関しては、例えば最新MPEG教科書（株式会社アスキー）等の一般書籍で説明されているので、ここでの説明は省略する。
【０００９】
映像データ受信手段１０１は、衛星、地上波またはケーブルからのMPEG映像データを受信し、スクランブル解除手段２０１へ送り、スクランブル解除手段２０１は、このMPEG映像データがスクランブルされていればスクランブル解除を行い、そうでなければそのまま映像データを映像データ抽出手段１０２へ入力する。
【００１０】
映像データ抽出手段１０２は映像再生に必要な情報だけを抽出し映像データ復号手段１０３へ送り、映像データ復号手段１０３はMPEG再生を行いこの復号された映像データを映像データ合成手段１０４に送る。
【００１１】
映像データ合成手段１０４はインターネットアクセス手段１０９から送られた映像データがあれば合成してＴＶ等の映像表示機器に送出する。
【００１２】
また、リモコンやチャンネルボタン等で番組を選択する操作は番組選択手段１０８によって関知され受信情報抽出手段１０７に送られる。受信情報抽出手段１０７はその情報を端末状態記憶手段１０６に送る。端末状態記憶手段１０６は端末状態復元手段１０５にデータを送る。端末状態復元手段１０５は周波数情報などで映像データ受信手段１０１を、PIDと呼ばれるプログラム番号で映像データ抽出手段１０２を制御し、番組を選択する。
【００１３】
従来の映像データ再生装置は上述のように構成され、動作するものであるが、利用者が視聴している番組の周波数やプログラム番号などの情報、インターネットにアクセスした時にどこのホームページを閲覧したか、EPGと呼ばれる電子番組案内の表示状態を変更する等の情報はセットトップボックス内のフラッシュメモリー（flash memory）に記録されているため、暗号解読モジュールを携帯し他のセットトップボックスに挿入した場合、視聴や閲覧の記録が保存されていないため利用者の見たいチャンネル、見たいホームページがすぐに見られない、電子番組案内が利用者の普段の利用において設定した状態になっていない。
【００１４】
また、暗号解読モジュール自体に認証機能が無いために、他人に利用されやすい。
【００１５】
また、ペアレンタルロックなどの視聴制限が電子番組案内からの番組選択時にロック解除のキーを聞いてくる為にどんな番組が放送されているのか等の情報が視聴制限対象者に判ってしまう。
【００１６】
【発明が解決しようとしている課題】
利用者が視聴している番組の周波数やプログラム番号などの情報、インターネットにアクセスした時にどこのホームページを閲覧したか、EPGと呼ばれる電子番組案内の表示状態を変更する等の情報はセットトップボックス内のflash memoryに記録されているため、暗号解読モジュールを携帯し他のセットトップボックスに挿入した場合、視聴や閲覧の記録が保存されていないため利用者の見たいチャンネル、見たいホームページがすぐに見られない、電子番組案内が利用者の普段の利用において設定した状態になっていないという問題点があった。
【００１７】
また、暗号解読モジュール自体に認証機能が無いために、他人に利用されやすいという問題があった。
【００１８】
また、ペアレンタルロックなどの視聴制限が電子番組案内からの番組選択時にロック解除のキーを聞いてくる為にどんな番組が放送されているのか等の情報が視聴制限対象者に判ってしまう等の問題があった。
【００１９】
【課題を解決するための手段】
上記課題を解決するために、本発明は、映像データを受信し可視情報に変換して送出する映像データ処理端末と暗号化された映像データを解読する暗号解読モジュールからなる映像データ再生装置であって、映像データ処理端末は、受信した映像データから電子番組案内のデータを抽出する電子番組案内抽出手段と、電子番組案内を可視情報として描画する前に、暗号解読モジュールとの間で電子番組案内を送受信する電子番組案内通信手段と、電子番組案内通信手段が受信した電子番組案内を描画する電子番組案内描画手段と、を備え、暗号解読モジュールは、使用者の特定を行う認証手段と、使用者毎の視聴制限情報を記録する視聴制限情報記録手段と、映像データ処理端末から電子番組案内を受信した場合に、認証手段が特定した使用者の視聴制限情報に応じて、受信した電子番組案内を視聴制限に該当する番組をマスクして閲覧できない形式に変更した電子番組案内に変更して、映像データ処理端末へ送信する電子番組案内変更手段と、を備えることを特徴とする映像データ再生装置である。
【００２０】
また、本発明は、映像データを受信し可視情報に変換して送出する映像データ処理端末と暗号化された映像データを解読する暗号解読モジュールからなる映像データ再生装置における電子番組案内描画方法であって、映像データ処理端末において、受信した映像データから電子番組案内のデータを抽出するステップと、映像データ処理端末において、抽出した電子番組案内を暗号解読モジュールへ送信するステップと、暗号解読モジュールにおいて、使用者の認証を行うステップと、暗号解読モジュールにおいて、認証した使用者の視聴制限情報を参照するステップと、暗号解読モジュールにおいて、参照した視聴制限情報に応じて、受信した電子番組案内を視聴制限に該当する番組をマスクして閲覧できない形式に変更した電子番組案内に変更して、映像データ処理端末へ送信するステップと、映像データ処理端末において、暗号解読モジュールから受信した電子番組案内を描画するステップと、を有することを特徴とする電子番組案内描画方法である。
【００２７】
【発明の実施形態】
以下、本発明の実施の形態を添付図面に基づき説明する。
【００２８】
（実施の形態１）
図１および図２は本発明の実施の形態１による映像データ処理端末と暗号解読モジュールを示す図である。
【００２９】
図において図１７と同一符号は同一または相当部分である。図１および図２の映像データ処理端末と図１７に示した従来の映像データ処理端末との違いは端末状態記憶手段のデータを外部機器に送信する端末通信手段を備えた点である。また、図１および図２の暗号解読モジュールと図１７に示した従来の暗号解読モジュールとの違いは映像データ処理端末の端末状態記憶手段のデータを記憶するモジュール状態記憶手段と、モジュール状態記憶手段のデータを映像処理端末との間で送受信するモジュール通信手段を備える点である。
【００３０】
上述の様に構成された本実施の形態１の動作を下記に示す。利用者により番組の選択が行われた場合、以下の手続きが行われる。
（１）利用者により番組が選択されたとき、番組選択手段は番組のチャンネルや周波数などの情報を受信情報抽出手段に送る。
（２）受信情報抽出手段はその情報を端末状態記憶手段に送る。
（３）端末通信手段は端末状態記憶手段の内容を外部機器（暗号解読モジュール）に送る。
（４）モジュール通信手段は外部機器（映像データ処理端末）から送られた端末状態記憶手段の内容をモジュール状態記憶手段に送る。
【００３１】
また、利用者により端末状態の復元が指示された場合、以下の手続きが行われる。
（５）モジュール通信手段はモジュール状態記憶手段の内容を外部機器（映像データ処理端末）に送る。
（６）端末通信手段は外部機器（暗号解読モジュール）から送られた内容を端末状態記憶手段に送る。
（７）端末状態復元手段は端末状態記憶手段の情報を元に周波数、チャンネルなどの情報を復元する。
【００３２】
この様に本実施の形態によれば暗号解読モジュールに視聴していた番組の周波数やチャンネルなどの情報が記録されるため、視聴していたときと異なる映像データ処理端末を使用する場合でも暗号解読モジュール内の情報から視聴していた時の端末状態を復元できる。
【００３３】
（実施の形態２）
図３および図４は本発明の実施の形態２による映像データ処理端末と暗号解読モジュールを示す図である。図において図１および図２と同一符号は同一または相当部分である。図１および図２との違いは映像データ処理端末の電源状態監視手段を備える点である。
【００３４】
上記の様に構成された本実施の形態２の動作を下記に示す。
【００３５】
利用者により映像データ処理端末の電源切断処理が行われた場合、
（１）端末通信手段は端末状態記憶手段の内容を外部機器（暗号解読モジュール）に送る。
（２）モジュール通信手段は外部機器（映像データ処理端末）から送られた端末状態記憶手段の内容をモジュール状態記憶手段に送る。
（３）映像データ処理端末全体の電源が切断される。
【００３６】
また、利用者により映像データ処理端末の電源投入が行われた場合、
（４）モジュール通信手段はモジュール状態記憶手段の内容を外部機器（映像データ処理端末）に送る。
（５）端末通信手段は外部機器（暗号解読モジュール）から送られた内容を端末状態記憶手段に送る。
（６）端末状態復元手段は端末状態記憶手段の情報を元に周波数、チャンネルなどの情報を復元する。
【００３７】
この様に本実施の形態によれば、映像データ処理端末の電源切断直前に視聴していた番組の周波数やチャンネルなどの情報が記録されるため、別の映像データ処理端末の電源投入時にそのまま以前視聴していた番組の視聴を続行できる。
【００３８】
（実施の形態３）
図５および図６は本発明の実施の形態３による映像データ処理端末と暗号解読モジュールを示す図である。図において図１７と同一符号は同一または相当部分である。図５および図６の映像データ処理端末と図１７に示した従来の映像データ処理端末との違いはインターネットで情報を閲覧した情報を外部機器に送信する端末通信手段を備えた点である。
【００３９】
また、図５および図６の暗号解読モジュールと図１７に示した従来の暗号解読モジュールとの違いは映像データ処理端末の閲覧情報記憶手段のデータを記憶するモジュール閲覧情報記憶手段と、モジュール閲覧情報記憶手段のデータを映像処理端末との間で送受信するモジュール通信手段を備える点である。
【００４０】
上述の様に構成された本実施の形態３の動作を下記に示す。
【００４１】
利用者により番組の選択が行われた場合、以下の手続きが行われる。
（１）利用者によりインターネットの情報閲覧が選択されたとき、受信情報抽出手段は閲覧されている情報のアドレス等の情報を閲覧情報記憶手段に送る。
（２）端末通信手段は閲覧情報記憶手段の内容を外部機器（暗号解読モジュール）に送る。
（３）モジュール通信手段は外部機器（映像データ処理端末）から送られた閲覧情報記憶手段の内容をモジュール閲覧情報記憶手段に送る。
【００４２】
また、利用者により閲覧情報の復元が指示された場合、以下の手続きが行われる。
（４）モジュール通信手段はモジュール閲覧情報記憶手段の内容を外部機器（映像データ処理端末）に送る。
（５）端末通信手段は外部機器（暗号解読モジュール）から送られた内容を閲覧情報記憶手段に送る。
（６）閲覧情報復元手段は閲覧情報記憶手段の情報を元にアドレス等の情報を復元する。
【００４３】
この様に本実施の形態によれば暗号解読モジュールに閲覧していたインターネット情報のアドレスなどの情報が記録されるため、閲覧していたときと異なる映像データ処理端末を使用する場合でも暗号解読モジュール内の情報から閲覧していた時の閲覧状態を復元できる。
【００４４】
（実施の形態４）
図７および図８は本発明の実施の形態４による映像データ処理端末と暗号解読モジュールを示す図である。図において図５および図６と同一符号は同一または相当部分である。図５および図６との違いは映像データ処理端末の電源状態監視手段を備える点である。
【００４５】
上記の様に構成された本実施の形態２の動作を下記に示す。
【００４６】
利用者により映像データ処理端末の電源切断処理が行われた場合、
（１）端末通信手段は閲覧情報記憶手段の内容を外部機器（暗号解読モジュール）に送る。
（２）モジュール通信手段は外部機器（映像データ処理端末）から送られた閲覧情報記憶手段の内容をモジュール閲覧情報記憶手段に送る。
【００４７】
また、利用者により映像データ処理端末の電源投入が行われた場合、
（３）モジュール通信手段はモジュール閲覧情報記憶手段の内容を外部機器（映像データ処理端末）に送る。
（４）端末通信手段は外部機器（暗号解読モジュール）から送られた内容を閲覧情報記憶手段に送る。
（５）閲覧情報復元手段は閲覧情報記憶手段の情報を元にアドレス等の情報を復元する。
【００４８】
この様に本実施の形態によれば、映像データ処理端末の電源切断直前に閲覧していた情報のアドレスなどの情報が記録されるため、別の映像データ処理端末の電源投入時にそのまま以前閲覧していた情報の視聴を続行できる。
【００４９】
（実施の形態５）
図９および図１０は本発明の実施の形態５による映像データ処理端末と暗号解読モジュールを示す図である。図において図１７と同一符号は同一または相当部分である。図９および図１０の映像データ処理端末と図１７に示した従来の映像データ処理端末との違いは電子番組案内状態記憶手段のデータを外部機器に送信する端末通信手段を備えた点である。
【００５０】
また、図９および図１０の暗号解読モジュールと図１７に示した従来の暗号解読モジュールとの違いは映像データ処理端末の端末状態記憶手段のデータを記憶するモジュール状態記憶手段と、モジュール状態記憶手段のデータを映像処理端末との間で送受信するモジュール通信手段を備える点である。
【００５１】
上述の様に構成された本実施の形態５の動作を下記に示す。
【００５２】
利用者により電子番組案内のカスタマイズが行われた場合、以下の手続きが行われる。
（１）利用者により電子番組案内がカスタマイズされたとき、電子番組案内カスタマイズ手段はフォントサイズや背景色などのカスタマイズ情報をカスタマイズ情報抽出手段に送る。
（２）カスタマイズ情報抽出手段はその情報を電子番組案内状態記憶手段に送る。
（３）端末通信手段は電子番組案内状態記憶手段の内容を外部機器（暗号解読モジュール）に送る。
（４）モジュール通信手段は外部機器（映像データ処理端末）から送られた電子番組案内状態記憶手段の内容をモジュール電子番組案内状態記憶手段に送る。
【００５３】
また、利用者により番組案内状態の復元が指示された場合、以下の手続きが行われる。
（５）モジュール通信手段はモジュール電子番組案内状態記憶手段の内容を外部機器（映像データ処理端末）に送る。
（６）端末通信手段は外部機器（暗号解読モジュール）から送られた内容を電子番組案内状態記憶手段に送る。
（７）電子番組案内状態復元手段は電子番組案内状態記憶手段の情報を元にフォントサイズや背景色などの情報を復元する。
【００５４】
この様に本実施の形態によれば暗号解読モジュールにカスタマイズした電子番組案内のフォントサイズや背景色などの情報が記録されるため、視聴していたときと異なる映像データ処理端末を使用する場合でも暗号解読モジュール内の情報から視聴していた時の電子番組案内のカスタマイズ状態を復元できる。
【００５５】
（実施の形態６）
図１１および図１２は本発明の実施形態６による映像データ処理端末と暗号解読モジュールを示す図である。図において図９および図１０と同一符号は同一または相当部分である。図９および図１０との違いは映像データ処理端末の電源状態監視手段を備える点である。
【００５６】
上記の様に構成された本実施の形態６の動作を下記に示す。
【００５７】
利用者により映像データ処理端末の電源切断処理が行われた場合、
（１）端末通信手段は電子番組案内状態記憶手段の内容を外部機器（暗号解読モジュール）に送る。
（２）モジュール通信手段は外部機器（映像データ処理端末）から送られた電子番組案内状態記憶手段の内容をモジュール電子番組案内状態記憶手段に送る。
【００５８】
また、利用者により映像データ処理端末の電源投入が行われた場合、
（３）モジュール通信手段はモジュール電子番組案内状態記憶手段の内容を外部機器（映像データ処理端末）に送る。
（４）端末通信手段は外部機器（暗号解読モジュール）から送られた内容を電子番組案内状態記憶手段に送る。
（５）電子番組案内状態復元手段は電子番組案内状態記憶手段の情報を元にフォントサイズや背景色などのカスタマイズ情報を復元する。
【００５９】
この様に本実施の形態によれば、映像データ処理端末の電源切断直前に電子番組案内のカスタマイズ情報が記録されるため、別の映像データ処理端末の電源投入時にそのまま以前使用していた電子番組案内の使用を続行できる。
【００６０】
（実施の形態７）
図１３および図１４は本発明の実施の形態７による映像データ処理端末と暗号解読モジュールを示す図である。図において図１７と同一符号は同一または相当部分である。図９および図１０の暗号解読モジュールと図１７に示した従来の暗号解読モジュールとの違いは使用者の特定を行う認証手段と認証の失敗回数を記録する認証失敗回数記録手段と何回まで認証に失敗しても再認証を受け付けるかを記録した再認証回数記録手段と認証失敗回数記録手段に記録した失敗回数が再認証回数記録手段に登録された回数と比較する比較手段と認証失敗回数記録手段に記録した失敗回数が再認証回数記録手段に登録された回数を超えた場合に外部機器からのスクランブルされた映像の解読を中止するスクランブル解除中止手段を備える点である。
【００６１】
上述のように構成された本実施の形態７の動作を図１９に従って下記に示す。
（１）暗証番号や指紋認証など暗号解読モジュールの認証手段によって認証を行う。
（２）認証に成功すれば映像データ処理端末から送られてくる映像データのスクランブル解除処理を開始する。
（３）失敗したら認証失敗の回数が暗号解読モジュール内に予め記憶されている再認証回数を超えているか比較する。
（４）超えていなければ再認証を行い、超えていたらスクランブル解除処理を開始せず中止する。
【００６２】
この様に本実施の形態によれば暗号解読モジュール自体に認証機能を持たせることで暗号解読モジュールの不正使用を防止できる。
【００６３】
（実施の形態８）
図１５および図１６は本発明の実施の形態８による映像データ処理端末と暗号解読モジュールを示す図である。図において図１および図２と同一符号は同一または相当部分である。図８の映像データ処理端末と図１７に示した従来の映像データ処理端末との違いは電子番組案内を描画前に外部機器（暗号解読モジュール）と送受信する電子番組案内通信手段を備えることである。
【００６４】
図１５および図１６の暗号解読モジュールと図１および図２に示した従来の暗号解読モジュールとの違いは使用者の特定を行う認証手段と使用者毎の視聴制限情報を記録する視聴制限情報記録手段と、視聴制限情報記録を変更、管理する為の管理者の情報を記録する視聴制限管理者情報記録手段と記録されている使用者毎の視聴制限情報を変更する視聴制限情報変更手段と、視聴制限情報を元に外部端末から送られた電子番組案内から制限に該当する番組の情報をマスクし、視聴不可能にして外部端末に戻す電子番組案内変更手段を備える事である。
【００６５】
上述のように構成された本実施の形態８の動作を図２０に従って下記に示す。認証処理そのものについては実施の形態７で述べているので省略し、ここでは認証に成功した後の処理について述べる。
（１）認証された使用者が視聴制限情報管理者かどうか管理者情報を参照する。
（２）視聴制限情報管理者であった場合、視聴制限情報の変更操作を行うか指定させる。
（３）視聴制限情報変更を希望する場合には視聴制限情報の変更操作を行う。
（４）認証された者が視聴情報管理者で視聴制限情報変更ではない場合、もしくは視聴情報管理者ではない場合には視聴制限情報を参照する。
（５）（４）で参照した視聴制限情報に従って視聴制限に該当する電子番組案内をマスクし、該当する番組についての電子番組案内を閲覧できないようにする。
【００６６】
この様に本実施の形態によれば暗号解読モジュール自体に視聴制限情報を持たせ電子番組案内に対するマスクを行うことでより強固な視聴制限を行うことが出来る。
【００６７】
（実施の形態９）
図１８は本発明の実施の形態１０による映像データ処理端末と暗号解読モジュールを示す図である。図において図１および図２と同一符号は同一または相当部分である。図１および図２の暗号解読モジュールと図１８の暗号解読モジュールの違いは映像データ処理端末の端末状態記憶手段の内容と暗号解読モジュールのモジュール状態記憶手段の内容を比較する状態情報比較手段と、比較の結果状態が異なると判断される場合にスクランブル解除手段にスクランブル解除を指示するスクランブル解除中止手段を備える点である。
【００６８】
上記のように構成された本実施の形態９の動作を下記に示す。
【００６９】
映像データ処理端末と暗号解読モジュールの間に通信が行われた場合以下の手続きが行われる。
（１）映像データ処理端末内の端末状態記憶手段と暗号解読モジュールのモジュール状態記憶手段の比較する。
（２）比較の結果により状態が異なると判断された場合にスクランブル解除中止手段はスクランブル解除の中止をスクランブル解除手段に指示する。
（３）比較の結果により状態が一致すると判断された場合にスクランブル解除手段は続行される。
【００７０】
この様に本実施の形態によれば暗号解読モジュールと映像データ処理端末の組み合わせが限定され、暗号解読モジュールの盗用を防ぐことが出来る。
【００７１】
【発明の効果】
本発明によれば暗号解読モジュールに視聴していた番組の周波数やチャンネルなどの情報が記録されるため、視聴していたときと異なる映像データ処理端末を使用する場合でも暗号解読モジュール内の情報から視聴していた時の端末状態を復元できる。
【００７２】
また、本発明によれば映像データ処理端末の電源切断直前に視聴していた番組の周波数やチャンネルなどの情報が記録されるため、別の映像データ処理端末の電源投入時にそのまま以前視聴していた番組の視聴を続行できる。
【００７３】
また、本発明によれば暗号解読モジュール自体に認証機能を持たせることで暗号解読モジュールの不正使用を防止できる。
【００７４】
また、本発明によれば暗号解読モジュール自体に視聴制限情報を持たせ電子番組案内に対するマスクを行うことでより強固な視聴制限を行うことが出来る。
【００７５】
また、本発明によれば暗号解読モジュールと映像データ処理端末の組み合わせを限定し、暗号解読モジュールの盗用を防ぐことが出来る。
【図面の簡単な説明】
【図１】実施の形態１のシステム構成図
【図２】実施の形態１のシステム構成図
【図３】実施の形態２のシステム構成図
【図４】実施の形態２のシステム構成図
【図５】実施の形態３のシステム構成図
【図６】実施の形態３のシステム構成図
【図７】実施の形態４のシステム構成図
【図８】実施の形態４のシステム構成図
【図９】実施の形態５のシステム構成図
【図１０】実施の形態５のシステム構成図
【図１１】実施の形態６のシステム構成図
【図１２】実施の形態６のシステム構成図
【図１３】実施の形態７のシステム構成図
【図１４】実施の形態７のシステム構成図
【図１５】実施の形態８のシステム構成図
【図１６】実施の形態８のシステム構成図
【図１７】従来例による映像データ処理端末と暗号解読モジュールの構成を示す図
【図１８】実施の形態９のシステム構成図
【図１９】実施の形態７の処理フローチャート
【図２０】実施の形態８の処理フローチャート
【符号の説明】
１００  映像データ処理端末
１０１  映像データ受信手段
１０２  映像データ抽出手段
１０３  映像データ復号手段
１０４  映像データ合成手段
１０５  端末状態復元手段
１０６  端末状態記憶手段
１０７  受信情報抽出手段
１０８  番組選択手段
１０９  インターネットアクセス手段
１１０  端末通信手段
１１１  電源状態監視手段
１１２  閲覧情報復元手段
１１３  閲覧情報抽出手段
１１４  電子番組案内抽出手段
１１５  電子番組案内描画手段
１１６  電子番組案内状態復元手段
１１８  電子番組案内カスタマイズ手段
１１９  カスタマイズ情報抽出手段
１２０  電子番組案内通信手段
２００  暗号解読モジュール
２０１  スクランブル解読手段
２０２  モジュール通信手段
２０３  モジュール状態記憶手段
２０４  認証手段
２０５  比較手段
２０６  スクランブル解読中止手段
２０７  認証失敗回数記憶手段
２０８  再認証回数記憶手段
２０９  視聴制限情報記憶手段
２１０  視聴制限管理者情報記憶手段
２１１  視聴制限情報変更手段
２１２  状態情報比較手段
【図１】
0004501215.tif 000002
【図２】
0004501215.tif 000003
【図３】
0004501215.tif 000004
【図４】
0004501215.tif 000005
【図５】
0004501215.tif 000006
【図６】
0004501215.tif 000007
【図７】
0004501215.tif 000008
【図８】
0004501215.tif 000009
【図９】
0004501215.tif 000010
【図１０】
0004501215.tif 000011
【図１１】
0004501215.tif 000012
【図１２】
0004501215.tif 000013
【図１３】
0004501215.tif 000014
【図１４】
0004501215.tif 000015
【図１５】
0004501215.tif 000016
【図１６】
0004501215.tif 000017
【図１７】
0004501215.tif 000018
【図１８】
0004501215.tif 000019
【図１９】
0004501215.tif 000020
【図２０】
0004501215.tif 000021